(57)【要約】 【課題】  利便性及びセキュリティを向上し、コストを低減するのに好適な電子錠管理システムを提供する。【解決手段】  携帯情報端末１は、ユーザが選択した画像情報を表示するようになっており、電子錠管理装置２は、所定の登録操作により、読み取り部５１で読み取りを行った画像情報を照合情報として記憶するとともに、所定の照合操作により、読み取り部５１で読み取りを行った画像情報と照合情報とを照合し、その照合結果に基づいて電子錠５６の開錠又は施錠の判断を行う。【選択図】  図５
2005076307.tif 000002
【特許請求の範囲】
【請求項１】
携帯情報端末と、電子錠管理装置とから構成される電子錠管理システムであって、
前記携帯情報端末は、画像情報をユーザが選択可能な画像情報選択手段と、前記画像情報選択手段によって選択された画像情報を表示する選択画像表示手段とを備え、
前記電子錠管理装置は、前記画像情報を光学的に読み取る読み取り手段と、照合情報を登録する照合情報登録手段と、前記画像情報を記憶するための錠管理装置側記憶手段と、前記画像情報の照合手段とを備え、
前記照合情報登録手段は、所定の登録操作により、前記読み取り手段が読み取りを行った画像情報を前記照合情報として、前記錠管理装置側記憶手段に記憶させ、
前記照合手段は、所定の照合操作により、前記読み取り手段が読み取りを行った画像情報と、前記錠管理装置側記憶手段に記憶されている前記照合情報とを照合し、その照合結果に基づいて、電子錠の開錠または施錠の判断を行うことを特徴とする電子錠管理システム。
【請求項２】
前記携帯情報端末は、更に、前記画像情報を記憶するための画像情報記憶手段と、前記画像情報記憶手段の画像情報を鍵情報として管理する鍵情報管理手段とを備え、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、
前記画像情報選択手段は、ユーザにより与えられた識別情報をもとに該当の画像情報を前記画像情報記憶手段の中から検索することを特徴とする請求項１に記載の電子錠管理システム。
【請求項３】
前記鍵情報管理手段は、更に、前記登録対象選択手段で選択した登録対象画像情報の消去用暗証コードを入力する消去用暗証コード入力手段と、前記消去用暗証コード入力手段で入力した消去用暗証コードを前記登録対象画像情報と関連付けて前記画像情報記憶手段に登録する消去用暗証コード登録手段と、前記登録対象画像情報の登録を消去する登録画像情報消去手段とを有し、
前記登録画像情報消去手段は、ユーザにより与えられた暗証コードと、前記消去用暗証コード登録手段に登録されている前記消去用暗証コードとを照合し、その照合結果に基づいて、前記画像情報記憶手段から該当の画像情報の登録を消去することを特徴とする請求項２に記載の電子錠管理システム。
【請求項４】
前記電子錠管理装置は、更に、操作用暗証コードを入力する操作用暗証コード入力手段と、入力された操作用暗証コードを前記錠管理装置側記憶手段に登録する操作用暗証コード登録手段と、操作の許可を行う操作許可手段とを備え、
前記操作許可手段は、ユーザにより与えられた暗証コードと、前記操作用暗証コード登録手段に登録されている操作用暗証コードとを照合し、その照合結果に基づいて、前記所定の登録操作を許可し、または前記照合情報の消去操作を許可することを特徴とする請求項１乃至３の何れか１項に記載の電子錠管理システム。
【請求項５】
画像情報を光学的に読み取る読み取り手段と、照合情報を登録する照合情報登録手段と、前記画像情報を記憶する錠管理装置側記憶手段と、前記画像情報の照合手段とを備え、
前記照合情報登録手段は、所定の登録操作により、前記読み取り手段が読み取りを行った画像情報を前記照合情報として、前記錠管理装置側記憶手段に記憶させ、
前記照合手段は、所定の照合操作により、前記読み取り手段が読み取りを行った画像情報と、前記錠管理装置側記憶手段に記憶されている前記照合情報とを照合し、その照合結果に基づいて、電子錠の開錠または施錠の判断を行うことを特徴とする電子錠管理装置。
【請求項６】
画像情報をユーザが選択可能な画像情報選択手段と、前記画像情報選択手段によって選択された画像情報を表示する選択画像表示手段と、前記画像情報を記憶するための画像情報記憶手段と、前記画像情報記憶手段の画像情報を鍵情報として管理する鍵情報管理手段とを備え、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、
前記画像情報選択手段は、ユーザにより与えられた識別情報をもとに該当の画像情報を前記画像情報記憶手段の中から検索することを特徴とする携帯情報端末。
【請求項７】
画像情報をユーザが選択可能な画像情報選択手段、前記画像情報選択手段によって選択された画像情報を表示する選択画像表示手段、及び前記画像情報記憶手段の画像情報を鍵情報として管理する鍵情報管理手段として実現される処理をコンピュータに実行させるためのプログラムであり、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、
前記画像情報選択手段は、ユーザにより与えられた識別情報をもとに該当の画像情報を前記画像情報記憶手段の中から検索することを特徴とする携帯情報端末用プログラム。
【請求項８】
携帯情報端末及び電子錠管理装置を利用して電子錠を管理する方法であって、
前記携帯情報端末の記憶手段に記憶されている画像情報のうちユーザによって選択されたものを前記携帯情報端末の表示手段に表示する第１画像情報表示ステップと、
前記第１画像情報表示ステップで表示した画像情報を前記電子錠管理装置の光学的読み取り手段で光学的に読み取る第１画像情報読み取りステップと、
所定の登録操作により、第１画像情報読み取りステップで読み取った画像情報を照合情報として前記電子錠管理装置の記憶手段に登録する照合情報登録ステップと、
前記携帯情報端末の記憶手段に記憶されている画像情報のうちユーザによって選択されたものを前記携帯情報端末の表示手段に表示する第２画像情報表示ステップと、
前記第２画像情報表示ステップで表示した画像情報を前記電子錠管理装置の光学的読み取り手段で読み取る第２画像情報読み取りステップと、
所定の照合操作により、前記第２画像情報読み取りステップで読み取った画像情報と、前記電子錠管理装置の記憶手段に記憶されている照合情報とを照合し、その照合結果に基づいて、前記電子錠の開錠または施錠の判断を行う照合ステップとを含むことを特徴とする電子錠管理方法。
【発明の詳細な説明】
【技術分野】
【０００１】
本発明は、電子的に鍵を管理するシステム、装置、端末、プログラム、方法に係り、特に、ユーザに対する利便性及びセキュリティを向上し、コストを低減するのに好適な電子錠管理システム、電子錠管理装置、携帯情報端末、携帯情報端末用プログラム、及び電子錠管理方法に関する。
【背景技術】
【０００２】
室内への入室管理等、多くの用途に錠が用いられ、錠と、その施錠・開錠に用いる鍵の電子化が進展している。そして、パスワードの記憶も不要で、指紋認証方式などのように複雑、高価でない、手軽な電子錠が特許文献１に開示されている。特許文献１記載の発明は、携帯端末に表示され、ドットから構成される２次元のシンボルを鍵情報とし、それを読み取る錠装置とから構成されている。錠装置は、光学的な画像センサによってシンボルの読み取りを行い、読み取ったシンボルを解析して鍵情報を抽出し、抽出した鍵情報と、予め定められた照合情報とを比較照合している。
【０００３】
上記の鍵情報を埋め込んだ２次元シンボルの設定や選択、変更に関しては、パソコンなどの外部機器より行われており、具体的には、パソコンと接続された錠装置にシンボルデータが送信されて照合情報として登録され、パソコンと接続された携帯端末に送信されたシンボルデータが、携帯端末の表示部に鍵情報として表示されるようになっている。
【特許文献１】特開２００２−１４７０８１号公報（第４頁）
【発明の開示】
【発明が解決しようとする課題】
【０００４】
このように、特許文献１記載の発明はドットから構成される２次元シンボルを鍵情報として用いている。２次元シンボルは、そもそも電子錠装置が認識するためのものであり、人が視覚的に認識するには不向きであった。そのため、例えば、家の鍵、部屋の鍵、車の鍵など、複数の鍵情報を携帯端末で管理する場合、ユーザがそれらを視覚的に認識することは困難であり、鍵の管理が煩雑となる。また、上位装置であるパソコンの管理者が２次元シンボルを決定するようになっているのでユーザが選択できる幅が少ない。従って、ユーザにとっては使い勝手が悪く、不便であるという問題があった。
【０００５】
また、２次元シンボルを鍵情報として用いていることから、それが鍵として使われているということを第三者に推測され易く、また、規則的に作成したシンボルであるので、偽造しようとすれば技術的には決して困難ではなかった。例えば、符号化規則を用いることによって、総当り的に鍵を生成することが可能である。
また、特許文献１記載の発明は、照合情報の登録のために通信機能が必要であるため、コストの上昇を招くという問題があった。
【０００６】
そこで、本発明は、このような従来の技術が有する未解決の課題に着目してなされたものであって、ユーザに対する利便性及び、セキュリティを向上し、コストを低減するのに好適な電子錠管理システム、電子錠管理装置、携帯情報端末、携帯情報端末用プログラム、及び電子錠管理方法を提供することを目的としている。
【課題を解決するための手段】
【０００７】
〔発明１〕  上記目的を達成するために、発明１の電子錠管理システムは、携帯情報端末と、電子錠管理装置とから構成される電子錠管理システムであって、
前記携帯情報端末は、画像情報をユーザが選択可能な画像情報選択手段と、前記画像情報選択手段によって選択された画像情報を表示する選択画像表示手段とを備え、
前記電子錠管理装置は、前記画像情報を光学的に読み取る読み取り手段と、照合情報を登録する照合情報登録手段と、前記画像情報を記憶するための錠管理装置側記憶手段と、前記画像情報の照合手段とを備え、
前記照合情報登録手段は、所定の登録操作により、前記読み取り手段が読み取りを行った画像情報を前記照合情報として、前記錠管理装置側記憶手段に記憶させ、前記照合手段は、所定の照合操作により、前記読み取り手段が読み取りを行った画像情報と、前記錠管理装置側記憶手段に記憶されている前記照合情報とを照合し、その照合結果に基づいて、電子錠の開錠または施錠の判断を行うことを特徴としている。
【０００８】
このような構成であれば、電子錠管理装置に照合情報を登録する場合、ユーザは、まず携帯情報端末において、画像情報選択手段により、画像情報の中から鍵情報とする画像情報を選択する。携帯情報端末では、画像情報選択手段により画像情報が選択されると、選択画像表示手段により選択された画像情報が表示される。
次に、ユーザは、表示された画像情報を電子錠管理装置の光学的読み取り手段の近傍にかざして読み取らせ、電子錠管理装置に対して所定の登録操作を行う。電子錠管理装置では、所定の登録操作が行われると、照合情報登録手段により、読み取られた画像情報が照合情報として錠管理装置側記憶手段に記憶される。
【０００９】
次に、電子錠の開錠または施錠を行う場合、ユーザは、まず、携帯情報端末において、画像情報選択手段により、画像情報の中から鍵情報とした画像情報を選択する。携帯情報端末では、画像情報選択手段により画像情報が選択されると、選択画像表示手段により選択された画像情報が表示される。
次に、ユーザは、表示された画像情報を電子錠管理装置の光学的読み取り手段の近傍にかざして読み取らせ、電子錠管理装置に対して所定の照合操作を行う。
【００１０】
電子錠管理装置では、所定の照合操作が行われると、照合手段により、読み取られた画像情報と、錠管理装置側記憶手段に記憶されている照合情報とが照合され、その照合結果に基づいて電子錠の開錠または施錠の判断が行われる。
このように、任意の画像情報を鍵情報として用いることができるので、広く一般の画像情報を鍵情報として用いることが可能となる。一般の画像情報とは、例えばカメラなどで撮像された、静物、風景、ペットや人物といった画像情報を指し、総称して自然画像と呼ぶ。これらの自然画像は、人が視覚的に認識するのが容易であり、データとしてみれば規則性の無いコードで予測が困難であるという特質を持っている。
【００１１】
従って、視覚的に認識しやすい画像を鍵情報として管理することができ、特に、自分の嗜好に合った、親しみ易い画像を選ぶことができるので、ユーザにとって使い勝手が良く、鍵情報が多数となっても比較的容易に管理することが可能となる。
また、照合情報の電子錠管理装置への登録に関しても、ユーザが任意の画像情報を携帯情報端末上から選択して登録することができるので、ユーザの選択幅が拡大する。
【００１２】
また、自然画像を用いたコード予測が困難な鍵情報であるので、鍵として偽造することが困難になる。そして、鍵情報として用いている画像が第三者に見られた場合も、それが鍵として使用されているとは推測され難い。
また、電子錠管理装置は、照合情報を携帯情報端末から光学的に読み取っており、通信機能を必要としないので、通信インタフェースなどに関わるコストを低下させることができる。
【００１３】
従って、従来に比して、ユーザに対する利便性及び、セキュリティを向上し、コストを低減することができるという効果が得られる。
ここで、電子錠とは、電子的に施錠または開錠が行える物理的な錠のほか、コンピュータシステムにおけるアクセス制御機能も含まれる。後者の場合、例えば、画像の読み取り手段で読み取りを行った画像情報を電気通信回線を通じてアクセス制御機能を有する電子計算機に入力してその電子計算機を作動させ、そのアクセス制御機能により制限されている特定利用をし得る状態にさせるようにする。以下、発明５から８のいずれにおいて同じである。
【００１４】
また、電子錠の開錠又は施錠の判断とは、電子錠を開錠するか否かを判断すること、又は電子錠を施錠するかの否かの判断をすることをいう。上記のコンピュータシステムにおけるアクセス制御機能の場合は、特定利用をし得る状態にさせるか否かを判断すること、又は特定利用を制限するか否かを判断することをいう。以下、発明５から８のいずれにおいて同じである。
【００１５】
また、携帯情報端末が選択対象とする画像情報とは、携帯情報端末にて扱い可能な画像情報を含み、具体的には通信手段や接続インターフェースを介して携帯情報端末が外部より入手したものであってもよいし、携帯情報端末自身の撮像手段（例えばカメラ）により撮像したものであってもよい。以下、発明５から８のいずれにおいて同じである。
また、携帯情報端末は、電子錠管理装置専用端末として実現するようにしてもよいし、ＰＤＡ（Personal  Digital  Assistant）や携帯電話といった他の汎用情報端末の機能を利用するようにしてもよい。以下、発明６から発明８のいずれにおいて同じである。
【００１６】
〔発明２〕  更に、発明２の電子錠管理システムは、発明１の電子錠管理システムにおいて、前記携帯情報端末は、更に、前記画像情報を記憶するための画像情報記憶手段と、前記画像情報記憶手段の画像情報を鍵情報として管理する鍵情報管理手段とを備え、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、前記画像情報選択手段は、ユーザにより与えられた識別情報をもとに該当の画像情報を前記画像情報記憶手段の中から検索することを特徴としている。
【００１７】
このような構成であれば、鍵情報となる画像情報を携帯情報端末に登録する場合、ユーザは、携帯情報端末において、登録対象選択手段により登録対象の画像情報を選択し、識別情報入力手段により任意の識別情報を入力する。この識別情報は文字、記号ばかりでなく、アイコンのような図形情報を用いても良い。携帯情報端末では、登録対象選択手段により、鍵情報とされた画像情報が登録対象とされ、識別情報入力手段により、識別情報が入力されると、識別情報登録手段によって、入力された識別情報と鍵情報とが関連付けられて画像情報記憶手段に登録される。
【００１８】
鍵情報を携帯情報端末にて検索する場合、ユーザは、識別情報を画像情報選択手段に与える。携帯情報端末では、識別情報が与えられると、画像情報選択手段により、与えられた識別情報をもとに画像情報が検索され、検索された画像情報が選択画像表示手段により表示される。
次に、ユーザは、表示された画像情報を電子錠管理装置の光学的読み取り手段の近傍にかざして読み取らせ、電子錠管理装置に対して所定の照合操作を行う。
【００１９】
電子錠管理装置では、所定の照合操作が行われると、照合手段により、読み取られた画像情報と、錠管理装置側記憶手段に記憶されている照合情報とが照合され、その照合結果に基づいて電子錠の開錠または施錠の判断が行われる。
これにより、発明２の電子錠管理システムは、ユーザは、ユーザ自身にとって覚えやすい識別情報と関連付けて画像情報を登録しておくことが可能になるので、発明１に比して画像情報の管理が更に容易となり、ユーザにとって使い勝手が良く、鍵情報が多数となっても比較的容易に管理することが可能となる。
【００２０】
従って、ユーザに対する利便性を更に向上することができるという効果が得られる。
〔発明３〕  更に、発明３の電子錠管理システムは、発明２の電子錠管理システムにおいて、前記鍵情報管理手段は、更に、前記登録対象選択手段で選択した登録対象画像情報の消去用暗証コードを入力する消去用暗証コード入力手段と、前記消去用暗証コード入力手段で入力した消去用暗証コードを前記登録対象画像情報と関連付けて前記画像情報記憶手段に登録する消去用暗証コード登録手段と、前記登録対象画像情報の登録を消去する登録画像情報消去手段とを有し、
前記登録画像情報消去手段は、ユーザにより与えられた暗証コードと、前記消去用暗証コード登録手段に登録されている前記消去用暗証コードとを照合し、その照合結果に基づいて、前記画像情報記憶手段から該当の画像情報の登録を消去することを特徴としている。
【００２１】
このような構成であれば、鍵情報となる画像情報を携帯情報端末に登録する場合、ユーザは、携帯情報端末において、登録対象選択手段により登録対象の画像情報、消去用暗証コード入力手段により暗証コードを入力する。携帯情報端末では、登録対象選択手段により、鍵情報とされた画像情報が登録対象とされ、消去用暗証コード入力手段により暗証コードが入力されると、入力された暗証コード情報と鍵情報とが関連付けられて画像情報記憶手段に登録される。
【００２２】
次に、鍵情報を消去する場合には、ユーザは、暗証コードを登録画像消去手段に与える。携帯情報端末では、暗証コードが与えられると、登録画像消去手段により、与えられた暗証コードと消去用暗証コードとが照合され、その照合結果に基づいて、画像情報の登録が消去される。
これにより、発明３の電子錠管理システムは、既に鍵情報として登録してある必要な画像情報が、ユーザの操作ミスによって消去されることを防止している。また、ユーザ以外の第三者の不適切な操作によって、鍵情報の登録が消去されることを防いでいる。
【００２３】
従って、ユーザに対する利便性及びセキュリティを更に向上することができるという効果が得られる。
ここで、鍵情報の登録の消去とは、画像情報を消去するようにしてもよいし、画像情報を残したまま、その登録を消去するようにしてもよい。
〔発明４〕  更に、発明４の電子錠管理システムは、発明１乃至３のいずれかの１の発明において、前記電子錠管理装置は、更に、操作用暗証コードを入力する操作用暗証コード入力手段と、入力された操作用暗証コードを前記錠管理装置側記憶手段に登録する操作用暗証コード登録手段と、操作の許可を行う操作許可手段とを備え、
前記操作許可手段は、ユーザにより与えられた暗証コードと、前記操作用暗証コード登録手段に登録されている操作用暗証コードとを照合し、その照合結果に基づいて、前記所定の登録操作を許可し、または前記照合情報の消去操作を許可することを特徴としている。
【００２４】
このような構成であれば、電子錠管理装置に照合情報を登録や操作を行う場合、ユーザは、まず、電子錠管理装置において、操作用暗証コード入力手段により暗証コードを与える。電子錠管理装置は、操作用暗証コード入力手段により暗証コードが与えられると、操作許可手段により操作用暗証コードと照合され、その照合結果に基づいて、照合情報の登録、または消去の操作が許可される。
【００２５】
これにより、ユーザが初めて照合情報を登録する時や、照合情報を変更する時は、電子錠管理装置の操作用暗証コードによる照合が必要になり、照合情報の安全性が向上する。また、登録してあった照合情報を破棄する場合には、携帯情報端末を用いなくても、電子錠管理装置側のみで速やかに消去してしまうことが可能になる。
従って、セキュリティを更に向上することができるという効果が得られる。
【００２６】
〔発明５〕  また、発明５の電子錠管理装置は、発明１の電子錠管理システムの前記電子錠管理装置であって、画像情報を光学的に読み取る読み取り手段と、照合情報を登録する照合情報登録手段と、前記画像情報を記憶する錠管理装置側記憶手段と、前記画像情報の照合手段とを備え、
前記照合情報登録手段は、所定の登録操作により、前記読み取り手段が読み取りを行った画像情報を前記照合情報として、前記錠管理装置側記憶手段に記憶させ、前記照合手段は、所定の照合操作により、前記読み取り手段が読み取りを行った画像情報と、前記錠管理装置側記憶手段に記憶されている前記照合情報とを照合し、その照合結果に基づいて、電子錠の開錠または施錠の判断を行うことを特徴としている。
【００２７】
これにより、発明１の電子錠管理システムの電子錠管理装置と同等の作用及び効果が得られる。
〔発明６〕  また、発明６の携帯情報端末は、発明２の電子錠管理システムの前記携帯情報端末であって、画像情報をユーザが選択可能な画像情報選択手段と、前記画像情報選択手段によって選択された画像情報を表示する選択画像表示手段と、前記画像情報を記憶するための画像情報記憶手段と、前記画像情報記憶手段の画像情報を鍵情報として管理する鍵情報管理手段とを備え、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、
前記画像情報選択手段は、ユーザにより与えられた識別情報をもとに該当の画像情報を前記画像情報記憶手段の中から検索することを特徴としている。
【００２８】
これにより、発明２の電子錠管理システムの携帯情報端末と同等の作用及び効果が得られる。
〔発明７〕  また、発明７の携帯情報端末用プログラムは、発明２の電子錠管理システムの携帯情報端末を制御するためのプログラムであって、
画像情報をユーザが選択可能な画像情報選択手段、前記画像情報選択手段によって選択された画像情報を表示する選択画像表示手段、及び前記画像情報記憶手段の画像情報を鍵情報として管理する鍵情報管理手段として実現される処理をコンピュータに実行させるためのプログラムであり、
前記鍵情報管理手段は、前記画像情報記憶手段の中から登録対象とする画像情報を選択する登録対象選択手段と、前記登録対象選択手段で選択した登録対象画像情報を識別するための識別情報を入力する識別情報入力手段と、前記識別情報入力手段で入力した識別情報を前記登録対象画像情報と関連付けて前記画像情報記憶手段に登録する識別情報登録手段とを有し、
前記画像情報選択手段は、ユーザにより与えられた識別情報をもとに該当の画像情報を前記画像情報記憶手段の中から検索することを特徴としている。
これにより、コンピュータによってプログラムが読み取られ、読み取られたプログラムに従ってコンピュータが処理を実行すると、発明２の電子錠管理システムの携帯情報端末と同等の作用及び効果が得られる。
【００２９】
〔発明８〕  また、発明８の電子錠管理方法は、携帯情報端末及び電子錠管理装置を利用して電子錠を管理する方法であって、
前記携帯情報端末の記憶手段に記憶されている画像情報のうちユーザによって選択されたものを前記携帯情報端末の表示手段に表示する第１画像情報表示ステップと、
前記第１画像情報表示ステップで表示した画像情報を前記電子錠管理装置の光学的読み取り手段で光学的に読み取る第１画像情報読み取りステップと、
所定の登録操作により、第１画像情報読み取りステップで読み取った画像情報を照合情報として前記電子錠管理装置の記憶手段に登録する照合情報登録ステップと、
前記携帯情報端末の記憶手段に記憶されている画像情報のうちユーザによって選択されたものを前記携帯情報端末の表示手段に表示する第２画像情報表示ステップと、
前記第２画像情報表示ステップで表示した画像情報を前記電子錠管理装置の光学的読み取り手段で読み取る第２画像情報読み取りステップと、
所定の照合操作により、前記第２画像情報読み取りステップで読み取った画像情報と、前記電子錠管理装置の記憶手段に記憶されている照合情報とを照合し、その照合結果に基づいて、前記電子錠の開錠または施錠の判断を行う照合ステップとを含むことを特徴としている。
【００３０】
これにより、発明１の電子錠管理システムと同等の効果が得られる。
【発明を実施するための最良の形態】
【００３１】
以下、本発明の実施の形態を図面に基づいて説明する。図１乃至図１１は、本発明に係る電子錠管理システム、電子錠管理装置、携帯情報端末、携帯情報端末情報端末プログラム、および電子錠管理方法の実施の形態を示す図である。
まず、本発明を適用する電子錠管理システムの携帯情報端末の構成を、図１を参照しながら説明する。
【００３２】
図１は、画像情報を表示する携帯情報端末の構成を示すブロック図である。
図１において、携帯情報端末１は、ＣＰＵなどの演算素子を含む制御部１２と、液晶やＥＬなどの画像表示素子を含む表示部１１と、記憶部１３と、入力部１４とにより構成される。更に、通信機能として、携帯電話やＰＨＳなどの公衆電話網や、無線ＬＡＮなどのネットワークに接続することができる無線通信部１５を備えている。
【００３３】
記憶部１３は、携帯情報端末１の制御プログラムを格納したＲＯＭと、ＲＯＭ等から読み出したデータや制御部１２の演算過程で必要な演算結果を格納するためのＲＡＭとを有して構成されている。なお、記憶部１３は、ＲＯＭ及びＲＡＭを備える構成に限定されず、ＩＣカードスロットを備え、ＰＣカードのようなメモリカードが追加される外付けの構成であってもよい。
【００３４】
入力部１４は、文字入力や操作を指示するキー入力部１６と、外部インタフェース１８と、カメラ機能を付加するための撮像センサ１７とを備えている。外部インタフェース１８としては、例えば、ＵＳＢなどの標準によるケーブル接続や、赤外線を用いたワイヤレス接続方式、または、小型メモリカードを接続するようにしたカードスロットなどを選択することができる。
【００３５】
携帯情報端末１は、インタフェース１８による直接の外部情報ばかりでなく、無線通信部１５による遠隔の情報や、または撮像センサ１７によって自ら画像情報を取り込むことができる。それらの画像情報は、制御部１２により、データの解凍やファイルの転送といった演算や処理が行われ、その演算結果は表示部１１に出力され、記憶部１３に記憶しておくことができる。従って、携帯情報端末１に取り込まれている画像情報の中から、選択的に特定の画像情報を選択し、表示部１１へ表示することや、記憶部１３へその画像情報を記憶させておき、記憶されている画像情報から再び読み出しを行って表示部１１に表示することは極めて容易である。そして、ＪＰＥＧ（Joint  Photographic  Expert  Group）などの画像フォーマットで構成された自然画像の画像情報データが与えられれば、制御部１２により処理され、所定の解像度と階調の表現能力を備えた表示部１１に自然画像の表示が行われる。
【００３６】
携帯情報端末１は、このように任意に選択して表示することができる画像情報を電子錠管理システムの鍵情報として用いる。そのため、ユーザは、上記の構成により、画像情報を簡単に選択して鍵情報として登録することができるとともに、鍵情報を簡単に表示することができる。
制御部１２は、記憶部１３の所定領域に格納されている所定のプログラムを起動させ、そのプログラムに従って、図２乃至図４のフローチャートに示す鍵情報登録処理、鍵情報選択処理及び鍵情報消去処理をそれぞれ時分割で実行するようになっている。
【００３７】
初めに、鍵情報登録処理を図２を参照しながら詳細に説明する。
図２は鍵情報登録処理を示すフローチャートである。
鍵情報登録処理は、表示した画像情報の中から鍵情報とする画像情報をユーザに選択させ、それを鍵情報として登録する処理であって、制御部１２において実行されると、図２に示すように、まず、ステップＳ２００に移行するようになっている。
【００３８】
ステップＳ２００では、画像情報選択画面を表示部１１に表示するとともに画像情報選択画面に記憶部１３の画像情報の一覧を表示し、ステップＳ２０２に移行して、鍵情報として登録する対象画像を画像情報の一覧の中からユーザに選択させ、ステップＳ２０４に移行する。ここで、ユーザに画像情報の一覧の画像内容を見せる方法としては、複数の画像を並べて表示する方法や、順次、画像情報を切り替え表示していく方法で行われる。
【００３９】
ステップＳ２０４では、登録対象とした画像情報に関連するような任意の識別情報を、ユーザに入力させ、ステップ２０６に移行する。この識別情報は文字、記号といった識別をあらわす名称に限定されず、アイコンのような図形情報を用いてもよい。
ステップＳ２０６では、登録対象とした画像情報に対する消去用の暗証コードを、ユーザに入力させ、ステップ２０８に移行する。この暗証コードは、文字、記号の組み合わせより構成される。
【００４０】
ステップＳ２０８では、鍵情報の登録対象として選択された画像情報を、入力した識別情報及び消去用暗証コードと関連付けて登録し、一連の処理を終了して元の処理に復帰させる。
以上により、携帯情報端末１において、鍵情報となる画像情報の選択と登録が行われ、更に、登録された画像情報との関連付けがされた識別情報及び消去用暗証コードの登録が行われる。
【００４１】
次に、鍵情報選択処理を図３を参照しながら詳細に説明する。
図３は、鍵情報選択処理を示すフローチャートである。
鍵情報選択処理は、表示させた鍵情報の中から所望の鍵情報をユーザに選択させ、鍵情報とした画像情報を読み出して表示させる処理であって、制御部１２において実行されると、図３に示すように、まず、ステップＳ３００に移行するようになっている。
【００４２】
ステップＳ３００では、鍵情報選択画面を表示部１１に表示するとともに鍵情報選択画面に記憶部１３の鍵情報の一覧を表示し、ステップＳ３０２に移行する。
ステップＳ３０２では、所望する鍵情報に関連する識別情報をユーザに入力させ、ステップＳ３０４に移行する。この入力は、識別情報を直接入力する方法でも、識別情報のリストやアイコンの中から選択指示を行う方法でもよい。
【００４３】
ステップＳ３０４では、入力された識別情報をもとに該当の鍵情報を記憶部１３の中から検索し、ステップＳ３０６に移行して、検索された鍵情報を記憶部１３から読み出し、ステップＳ３０８に移行する。
ステップＳ３０８では、読み出した鍵情報を表示部１１に表示し、一連の処理を終了して元の処理に復帰する。
【００４４】
以上により、携帯情報端末１において、鍵情報の中から所望する鍵情報が選択され、その表示が行われる。
次に、鍵情報消去処理を図４を参照しながら詳細に説明する。
図４は、鍵情報消去処理を示すフローチャートである。
鍵情報消去処理は、登録させた鍵情報の中から不要の鍵情報をユーザに選択させ、鍵情報の登録から消去させる処理であって、制御部１２において実行されると、図４に示すように、まず、ステップＳ４００に移行するようになっている。
【００４５】
ステップＳ４００では、鍵情報選択画面を表示部１１に表示するとともに鍵情報選択画面に記憶部１３の鍵情報の一覧を表示し、ステップＳ４０２に移行する。
ステップＳ４０２では、消去する鍵情報を鍵情報の一覧の中からユーザに選択させ、ステップＳ４０４に移行する。ここで、ユーザに鍵情報の一覧を見せるための表示方法は、鍵情報の登録時に入力した識別情報を用いて行われる。
【００４６】
ステップＳ４０４では、消去の選択がされた鍵情報の暗証コードをユーザに入力させ、ステップＳ４０６に移行する。
ステップＳ４０６では、消去の選択がされた鍵情報に登録されていた消去用暗証コードを読み出し、ステップＳ４０７へ移行する。
ステップＳ４０７では、入力された暗証コードと、読み出された消去用暗証コードとの照合を行い、ステップＳ４０８に移行する。
【００４７】
ステップＳ４０８では、ステップＳ４０７の照合結果に基づき、入力された暗証コードが読み出された消去用暗証コードと一致しているか否かを判断し、それらが一致していると判断（ＹＥＳ）されれば、次のステップＳ４１０に進む。一方、ステップＳ４０８で、暗証コードが一致していないと判断（ＮＯ）されれば、ステップＳ４０４に戻って暗証コードの再入力を待つ。
【００４８】
ステップＳ４１０では、選択された鍵情報に対応する画像情報の登録情報を消去し、一連の処理を終了して元の処理に復帰する。
次に、電子錠管理装置の構成を、図５を参照しながら説明する。
図５は、電子錠５６の制御を行う電子錠管理装置の構成を示すブロック図である。
図５において、電子錠管理装置２は、ＣＰＵなどの演算素子を含み電子錠５６を制御する制御部５２と、光学的に画像情報の読み取りを行う読み取り部５１と、記憶部５３と、ＬＥＤランプなどによって電子錠管理装置２の作動状態を示す表示部５４と、テンキーなどを有する入力部５５とにより構成される。
【００４９】
記憶部５３は、電子錠管理装置２の制御プログラムを格納したＲＯＭと、ＲＯＭ等から読み出したデータや制御部５２の演算過程で必要な演算結果を格納するためのＲＡＭとを有して構成されている。
読み取り部５１は、ＣＣＤなどの２次元センサで構成され、読み取り部５１の近傍に、対向して表示された画像情報を読み取るように、レンズ仕様や、所定の画素数や階調数に対する読み取りの仕様が設定されている。
【００５０】
入力部５５は、電子錠管理装置２への操作を許可する暗証コードと、照合情報の登録や照合及び登録消去などの操作指示とを入力し、表示部５４は、ＬＥＤランプにより、照合情報の登録結果の可否や照合結果の一致又は不一致、及び電子錠管理装置２を操作する操作用暗証コードの照合結果の一致又は不一致などを表示する。
電子錠管理装置２は、読み取り部５１で読み取った画像情報を電子錠管理システムの鍵情報として用いる。そのため、ユーザは、上記の構成により、携帯情報端末１に表示された鍵情報を、電子錠管理装置２の照合情報として簡単に登録することができるとともに、鍵情報を照合して電子錠の開錠・施錠を行うことができる。
【００５１】
制御部５２は、記憶部５３の所定領域に格納されている所定のプログラムを起動させ、そのプログラムに従って、図６乃至図８のフローチャートに示す照合情報登録処理、鍵の照合処理及び照合情報消去処理をそれぞれ時分割で実行するようになっている。
初めに、照合情報登録処理を図６を参照しながら詳細に説明する。
図６は照合情報登録処理を示すフローチャートである。
【００５２】
照合情報登録処理は、鍵情報とする画像情報を携帯情報端末１に表示させ、それを照合情報として登録する処理であって、制御部５２において実行されると、図６に示すように、まず、ステップＳ６００に移行するようになっている。
ステップＳ６００では、最初に、電子錠管理装置２を操作するための操作用の暗証コードをユーザに入力させ、ステップＳ６０２に移行する。
【００５３】
ステップＳ６０２では、記憶部５３に記憶されている操作用暗証コードを読み出し、ステップＳ６０３へ移行する。
ステップＳ６０３では、入力された暗証コードと、読み出された操作用暗証コードとの照合を行い、ステップＳ６０４に移行する。
ステップＳ６０４では、ステップＳ６０３の照合結果に基づき、入力された暗証コードが読み出された操作用暗証コードと一致しているか否かを判断し、それらが一致していると判断（ＹＥＳ）されれば、次のステップＳ６０６に進む。一方、ステップＳ６０４で、暗証コードが一致していないと判断（ＮＯ）されれば、ステップＳ６００に戻って暗証コードの再入力を待つ。なお、このときには表示部５４を用いて暗証コードが不一致であったことを表示するようにしている。
【００５４】
ステップＳ６０６では、ユーザが鍵情報を表示させる準備を終え、登録ボタンが押下されたか否かを判断し、登録ボタンが押下されたと判断（ＹＥＳ）されれば、ステップＳ６０８に進む。一方、登録ボタンが押下されないと判断（ＮＯ）されれば、ステップＳ６０６で入力を待つ。
ステップＳ６０８では、読み取り部５１が画像の読み取りを開始し、読み取りを終えるとステップＳ６１０に移行する。
【００５５】
ステップＳ６１０では、読み取り部５１により読み取りが行われた画像情報が、照合情報として照合情報の基準を満たしているかの検証を行う。画像情報が画像の画面サイズや情報量等の所定の照合情報基準を満たしていないと判断（ＮＯ）されれば、ステップＳ６０６に戻って再度読み取りを行うようにしている。このとき、表示部５４を用いて登録不可であったことを表示するようにしている。ステップＳ６１０で、照合情報基準を満たしていると判断（ＹＥＳ）されれば、表示部５４により登録可であったことを示す表示が行われ、ステップＳ６１２に移行する。
【００５６】
ステップＳ６１２では、読み取り部５１により読み取りが行われた画像情報を照合情報として記憶部５３に記憶し、一連の処理を終了して元の処理に復帰させる。
次に、鍵の照合処理を図７を参照しながら詳細に説明する。
図７は、鍵の照合処理を示すフローチャートである。
鍵の照合処理は、読み取りが行われた鍵情報を、登録されている照合情報と照合する処理であって、制御部５２において実行されると、図７に示すように、まず、ステップＳ７００に移行するようになっている。
【００５７】
ステップＳ７００では、ユーザが鍵情報を表示させる準備を終え、読み取りボタンが押下されたか否かを判断し、読み取りボタンが押下されたと判断（ＹＥＳ）されれば、ステップＳ７０２に進む。一方、読み取りボタンが押下されないと判断（ＮＯ）されれば、ステップＳ７００で入力を待つ。
ステップＳ７０２では、読み取り部５１が画像の読み取りを開始し、読み取りを終えるとステップＳ７０４に移行する。
【００５８】
ステップＳ７０４では、登録されている照合情報を記憶部５３より読み出し、ステップＳ７０５に移行する。
ステップＳ７０５では、読み取りが行われた画像情報と、読み出された照合情報との照合を行い、ステップＳ７０６に移行する。照合の処理を行うアルゴリズムとしては、照合情報と読み取りが行われた画像情報とのビット単位の比較ではなく、データをパターンとして比較すれば良い。パターン比較の技術としては、画像認識のような認識技術が適用できる。
【００５９】
ステップＳ７０６では、ステップＳ７０５の照合結果に基づき、鍵情報が照合情報と一致しているか否かを判断し、それらが一致していると判断（ＹＥＳ）されれば、表示部５４によって一致を示す表示を行い、次のステップＳ７０８に進む。一方、ステップＳ７０６で、鍵情報が一致していないと判断（ＮＯ）されれば、ステップＳ７００に戻って鍵情報の再読み取り開始を待つ。なお、このときには表示部５４を用いて鍵情報の照合結果が不一致であったことを表示するようにしている。
【００６０】
ステップＳ７０８〜Ｓ７１２では、電子錠５６の開錠又は施錠を制御する。まず、ステップＳ７０８では、電子錠５６が施錠されているか否かを判断し、電子錠５６が施錠されていると判断したとき（ＹＥＳ）は、ステップＳ７１０に移行して、電子錠５６に開錠信号を出力することにより電子錠５６を開錠する。一方、電子錠５６が施錠されていないと判断したとき（ＮＯ）は、ステップＳ７１２に移行して、電子錠５６に施錠信号を出力することにより電子錠５６を施錠する。
【００６１】
ステップＳ７１０又はステップＳ７１２を実行し終えると、一連の処理を終了して元の処理に復帰させる。
次に、照合情報消去処理を図８を参照しながら詳細に説明する。
図８は照合情報消去処理を示すフローチャートである。
照合情報消去処理は、鍵情報として電子錠管理装置２に登録されている照合情報を消去する処理であって、制御部５２において実行されると、図８に示すように、まず、ステップＳ８００に移行するようになっている。
【００６２】
ステップＳ８００では、最初に、電子錠管理装置２を操作するための操作用の暗証コードをユーザに入力させ、ステップＳ８０２に移行する。
ステップＳ８０２では、記憶部５３に記憶されている操作用暗証コードを読み出し、ステップＳ８０３へ移行する。
ステップＳ８０３では、入力された暗証コードと、読み出された操作用暗証コードとの照合を行い、ステップＳ８０４に移行する。
【００６３】
ステップＳ８０４では、ステップＳ８０３の照合結果に基づき、入力された暗証コードが読み出された操作用暗証コードと一致しているか否かを判断し、それらが一致していると判断（ＹＥＳ）されれば、次のステップＳ８０６に進む。一方、ステップＳ８０４で、暗証コードが一致していないと判断（ＮＯ）されれば、ステップＳ８００に戻って暗証コードの再入力を待つ。なお、このときには表示部５４を用いて暗証コードが不一致であったことを表示するようにしている。
【００６４】
ステップＳ８０６では、消去ボタンが押下されたか否かを判断し、消去ボタンが押下されたと判断（ＹＥＳ）されれば、ステップＳ８０８に進む。一方、消去ボタンが押下されないと判断（ＮＯ）されれば、ステップＳ８０６で入力を待つ。この入力は、安全性を高めるために、消去ボタンが所定の時間以上継続して押下されたことにより、押下の判断（ＹＥＳ）としている。
【００６５】
ステップＳ８０８では、記憶部５３に登録されていた照合情報の登録を消去し、一連の処理を終了して元の処理に復帰させる。
次に、本実施の形態の動作を説明する。
初めに、鍵情報及び照合情報の登録を行う場合を説明する。
まず、携帯情報端末１において、ユーザは、鍵情報とする画像情報を選択して、携帯情報端末１にその登録を行う。携帯情報端末１は、図１に示すように、インタフェース１８による外部からの画像情報ばかりでなく、無線通信部１５による遠隔の画像情報や、または撮像センサ１７によって自ら画像情報を取り込むことができ、それらの画像情報を利用することができる。
【００６６】
鍵情報を登録する場合、ユーザは、携帯情報端末１において鍵情報の登録を要求する。
携帯情報端末１では、鍵情報の登録が要求されると、ステップＳ２００を経て、記憶部１３の画像情報の一覧が表示部１１に表示される。ここで、ユーザは、鍵情報として登録する画像情報を選択し、識別情報及び消去用暗証コードを入力する。
図９は、鍵情報を登録するために、画像情報の一覧を表示している表示例である。
【００６７】
図９の表示画面において、表示部１１に、犬の画像９１、猫の画像９２、山の画像９３、花の画像９４と、４つの画像が並列に表示されている。
ユーザが、この中から、山の画像９３を選択したとすると、鍵情報として、この山の画像９３が記憶部１３に登録される。
携帯情報端末１では、ステップＳ２０２〜Ｓ２０６を経て、画像情報の選択、識別情報及び消去用暗証コードの入力が行われると、ステップＳ２０８を経て、選択された画像情報が鍵情報として、識別情報及び消去用暗証コードと関連付けられて登録される。
【００６８】
次に、電子錠管理装置２に照合情報を登録する場合、ユーザは、携帯情報端末１において、鍵情報の表示を要求する。
携帯情報端末１では、鍵情報の表示が要求されると、ステップＳ３００を経て、記憶部１３の鍵情報の一覧が表示部１１に表示される。ここで、ユーザは所望の鍵情報に対応する識別情報を入力する。
【００６９】
携帯情報端末１では、識別情報が入力されると、ステップＳ３０４〜Ｓ３０８を経て、入力された識別情報をもとに該当の鍵情報が検索され、検索された鍵情報が記憶部１３から読み出され、読み出された鍵情報が表示部１１に表示される。
図１０は、選択された鍵情報に基づいて、画像情報を表示している表示例である。
図１０の表示においては、画像枠１００が表示され、画像枠１００の中に山の画像が表示されている。これにより、照合情報として表示画像の範囲が明確に区別でき、表示部１１のパネルの周辺の部材などが一緒に読み取られて画像の境界が不明となることを防止している。また、照合情報と読み取られた画像情報の物理的サイズが異なっていても、表示枠１００を基準にし、読み取りを行った画像情報と、照合情報とを相対的に比較することが可能になる。
【００７０】
次に、ユーザは、操作用暗証コードと同一の暗証コードを電子錠管理装置２に入力する。
電子錠管理装置２では、暗証コードが入力されると、ステップＳ６０２、Ｓ６０３を経て、操作用暗証コードが読み出され、入力された暗証コードと、読み出された操作用暗証コードとが照合される。その結果、それらが一致するので、電子錠管理装置２は、照合情報が登録可能な状態となる。
【００７１】
次に、ユーザは、携帯情報端末１に表示された画像情報を読み取り部５１の近傍にかざし、電子錠管理装置２の登録ボタンを押下して、読み取り部５１に画像情報を読み取らせる。
電子錠管理装置２では、照合情報が登録可能な状態で登録ボタンが押下されると、ステップＳ６０８を経て、読み取り部５１により画像情報の読み取りが行われる。ここで、取り込んだ画像情報が所定の基準を満たしていると、ステップＳ６１２を経て、読み取り部５１により読み取られた画像情報が照合情報として記憶部５３に記憶される。
【００７２】
次に、電子錠５６の開錠又は施錠を行う場合を説明する。
まず、電子錠５６の開錠又は施錠を行う場合、ユーザは、携帯情報端末１において、鍵情報の表示を要求する。
携帯情報端末１では、鍵情報の表示が要求されると、ステップＳ３００を経て、記憶部１３の鍵情報の一覧が表示部１１に表示される。ここで、ユーザは所望の鍵情報に対応する識別情報を入力する。
【００７３】
図１１は、識別情報に基づいて、鍵情報の一覧を表示している表示例である。
図１１の表示においては、ユーザが鍵情報の登録時に識別情報として名付けた、犬、猫、山、花という識別情報のリストが、表示部１１のリスト表示領域に表示され、下部には入力用の表示窓１１２が表示されている。
ユーザは、例えば、山の識別情報を鍵情報として所望したとすると、その識別情報を入力する。ここで、識別情報の入力は、識別情報のリストやアイコンなどを選択させる入力ばかりでなく、直接、識別情報の名称を入力してもよい。その場合、直接入力は表示窓１１２に現れるようになっている。
【００７４】
携帯情報端末１では、識別情報が入力されると、ステップＳ３０４〜Ｓ３０８を経て、入力された識別情報をもとに該当の鍵情報が検索され、検索された鍵情報が記憶部１３から読み出され、読み出された鍵情報が表示部１１に表示される。
次に、ユーザは、携帯情報端末１に表示された画像情報を読み取り部５１の近傍にかざし、電子錠管理装置２の読み取りボタンを押下して、読み取り部５１に画像情報を読み取らせる。
【００７５】
電子錠管理装置２では、読み取りボタンが押下されると、ステップＳ７０２、Ｓ７０４を経て、読み取り部５１により画像情報の読み取りが行われる。次いで、ステップＳ７０５を経て、読み取られた画像情報と、読み出された照合情報との照合が行われる。その結果、それらが一致していると判断されると、電子錠５６が施錠状態の場合にあっては、ステップ７１０を経て、電子錠５６に開錠信号が出力され、これにより電子錠５６が開錠される。また、電子錠５６が開錠状態の場合にあっては、ステップ７１２を経て、電子錠５６に施錠信号が出力され、これにより電子錠５６が施錠される。
【００７６】
次に、鍵情報及び照合情報の登録の消去を行う場合を説明する。
まず、鍵情報の登録の消去を行う場合、ユーザは、携帯情報端末１において、鍵情報の消去を要求する。
携帯情報端末１では、鍵情報の消去が要求されると、ステップＳ４００を経て、記憶部１３の鍵情報の一覧が表示部１１に表示される。ここで、ユーザは、登録を消去する鍵情報を選択し、消去用暗証コードと同一の暗証コードを入力する。
【００７７】
携帯情報端末１では、暗証コードが入力されると、ステップＳ４０６、Ｓ４０７を経て、消去用暗証コードが読み出され、入力された暗証コードと、読み出された消去用暗証コードとが照合される。その結果、それらが一致するので、鍵情報の登録が消去される。
次に、照合情報の登録の消去を行う場合、ユーザは、操作用暗証コードと同一の暗証コードを電子錠管理装置２に入力する。
【００７８】
電子錠管理装置２では、暗証コードが入力されると、ステップＳ８０２、Ｓ８０３を経て、操作用暗証コードが読み出され、入力された暗証コードと、読み出された操作用暗証コードとが照合される。その結果、それらが一致するので、電子錠管理装置２は、照合情報の消去が操作可能な状態となる。ここで、ユーザは、電子錠管理装置２の消去ボタンを押下する。
【００７９】
電子錠管理装置２では、消去ボタンが押下されると、ステップＳ８０８を経て、記憶部６３に記憶されていた照合情報の登録が消去される。
ここで、電子錠管理装置２における操作用暗証コードの登録、又は変更の方法に関して補足しておく。電子錠管理装置２の購入時には、出荷時に業者により入力された操作用暗証コードがユーザに知らされている。ユーザは、この暗証コードを入力して電子錠管理装置２を操作が可能な状態とし、それにより、暗証コードを変更することができる。
【００８０】
このようにして、本実施の形態では、携帯情報端末１は、ユーザが選択した画像情報を表示するようになっており、電子錠管理装置２は、所定の登録操作により、読み取り部５１で読み取りを行った画像情報を照合情報として記憶するとともに、所定の照合操作により、読み取り部５１で読み取りを行った画像情報と照合情報とを照合し、その照合結果に基づいて電子錠５６の開錠又は施錠の判断を行うようになっている。
【００８１】
これにより、任意の画像情報を鍵情報として用いることができるので、広く一般の画像情報を鍵情報として用いることが可能となる。従って、視覚的に認識しやすい画像を鍵情報として管理することができ、特に、自分の嗜好に合った、親しみ易い画像を選ぶことができるので、ユーザにとって使い勝手が良く、鍵情報が多数となっても比較的容易に管理することが可能となる。
【００８２】
また、照合情報の電子錠管理装置２への登録に関しても、ユーザが任意の画像情報を携帯情報端末１から選択して登録することができるので、ユーザの選択幅が拡大する。
また、自然画像を用いたコード予測が困難な鍵情報であるので、鍵として偽造することが困難になる。そして、鍵情報として用いている画像が第三者に見られた場合も、それが鍵として使用されているとは推測され難い。
【００８３】
また、電子錠管理装置２は、照合情報を携帯情報端末１から光学的に読み取っており、通信機能を必要としないので、通信インタフェースなどに関わるコストを低下させることができる。
更に、本実施の形態では、携帯情報端末１は、鍵情報となる画像情報を携帯情報端末１に登録する場合、ユーザに任意の識別情報を入力させ、入力させた識別情報と鍵情報とを関連付けて記憶部１３に登録し、鍵情報を検索する場合、ユーザに識別情報を入力させ、入力された識別情報をもとに該当の画像情報を検索し、画像情報を表示するようになっている。
【００８４】
これにより、ユーザ自身にとって覚えやすい識別情報と関連付けて画像情報を登録しておくことが可能になるので、画像情報の管理が更に容易となり、ユーザにとって使い勝手が良く、鍵情報が多数となっても比較的容易に管理することが可能となる。
更に、本実施の形態では、携帯情報端末１は、鍵情報となる画像情報を携帯情報端末１に登録する場合、ユーザに消去用暗証コードを入力させ、入力させた暗証コードと鍵情報とを関連付けて記憶部１３に登録し、鍵情報の登録を消去する場合には、ユーザに暗証コードを入力させ、入力された暗証コードと、消去用暗証コードとを照合し、その照合結果に基づいて、画像情報の登録を消去するようになっている。
【００８５】
これにより、必要な鍵情報の登録が、ユーザの操作ミスによって消去されることを防止している。また、ユーザ以外の第三者の不適切な操作によって、鍵情報の登録が消去されることを防いでいる。
更に、本実施の形態では、電子錠管理装置２は、照合情報の登録や消去を行う場合、ユーザに操作用暗証コードを入力させ、入力された暗証コードと、操作用暗証コードとを照合し、照合情報の登録または消去の操作を許可するようになっている。
【００８６】
これにより、ユーザが初めて照合情報を登録する時や、照合情報を変更する時には、電子錠管理装置２の操作用暗証コードによる照合を必要とし、照合情報の安全性が向上する。
上記実施の形態において、記憶部３は、発明１、６若しくは７の画像情報記憶手段、又は発明８の記憶手段に対応し、ステップＳ２０４、Ｓ３０２及びＳ４０２は、発明２、６若しくは７の識別情報入力手段に対応し、ステップＳ２０６、Ｓ４０４は、発明３の消去用暗証コード入力手段に対応する。
【００８７】
また、上記実施の形態において、ステップＳ２００、Ｓ３００〜Ｓ３０６及びＳ４００及びＳ４０２は、発明１、６若しくは７の画像情報選択手段に対応し、ステップＳ３０８は、発明１、６若しくは７の選択画像表示手段、又は発明８の表示手段に対応し、ステップＳ２００〜Ｓ２０８は、発明８の第１画像情報表示ステップに対応し、ステップＳ３００〜Ｓ３０８は、発明８の第２画像情報表示ステップに対応する。
【００８８】
また、上記実施の形態において、ステップＳ２０２は、発明１、６若しくは７の登録対象選択手段に対応し、ステップＳ２０８は、発明２、６若しくは７の識別情報登録手段、又は発明３の消去用暗証コード登録手段に対応し、ステップＳ４０６〜Ｓ４１０は、発明３の登録画像情報消去手段に対応している。
また、上記実施の形態において、記憶部５３は、発明１、５の錠管理装置側記憶手段、又は発明８の記憶手段に対応し、読み取り部５１及びステップＳ６０６，Ｓ６０８、Ｓ７００及びＳ７０２は、発明１、５の読み取り手段に対応し、読み取り部５１及びステップＳ６０６、Ｓ６０８は、発明８の第１画像情報読み取りステップに対応し、読み取り部５１及びステップＳ７００、Ｓ７０２は、発明８の第２画像情報読み取りステップに対応し、入力部５５及びステップＳ６００、Ｓ８００は、発明４の操作用暗証コード入力手段に対応する。
【００８９】
また、上記実施の形態において、ステップＳ６１０、Ｓ６１２、Ｓ８０６及びＳ８０８は、発明１、５の照合情報登録手段、又は発明８の照合情報登録ステップに対応し、ステップＳ７０４〜Ｓ７１０は、発明１、５の照合手段、又は発明８の照合ステップに対応し、ステップＳ６０２〜Ｓ６０４及びＳ８０２〜Ｓ８０４は、発明４の操作許可手段に対応する。
【００９０】
なお、上記実施の形態において、携帯情報端末１は、無線通信部１５及び撮像センサ１７を備えて構成したが、これに限らず、無線通信部１５及び撮像センサ１７のいずれかを備えて構成すれば良い。無線通信部１５だけを備える場合は、無線通信部１５を介して外部から取得した画像情報を鍵情報として用いることができる。撮像センサ１７だけを備える場合は、撮像センサ１７で撮影したオリジナル性の高い画像情報を鍵情報として用いることができる。
【００９１】
また、上記実施の形態において、図６、図７に示す読み取り部５１の画像情報の読み取りは、夫々登録ボタン、又は読取ボタンを押下してから開始するように構成したが、これに限らず、画像情報の読み取りが行われてからボタンを操作し、それにより、読み取っていた画像情報を制御部５２へ入力するように構成してもよい。この場合、例えば、携帯情報端末１が電子錠管理装置２の近傍にかざされたことを検出する検出センサを備えることによって、読み取り部５１による読み取りの開始を制御することができる。
【００９２】
また、上記実施の形態において、電子錠管理装置２に記憶させる照合情報は一つで構成したが、電子錠管理装置２に照合情報を複数記憶させておき、複数のユーザ間で別々の照合情報を使い分けることもできる。この場合には、照合情報にも暗証コードを与えて電子錠管理装置２に記憶させ、ユーザがこの暗証コードを指定できるようにすればいい。
また、上記実施の形態において、電子錠管理装置２の作動状態を示す表示部５４は、ＬＥＤランプによる視覚の表示としたが、これに限らず、音や音声による表示方法としてもいい。これにより、ユーザは、電子錠管理装置２の状態の識別が、更に、容易となる。
【００９３】
また、上記実施の形態において、携帯情報端末１の具体的な形態については特に説明しなかったが、携帯情報端末１として携帯電話を用いることができる。携帯電話を用いた場合は、鍵として登録した画像情報を他の携帯電話へ転送することが容易である。従って、ユーザは、鍵情報を必要とする他者に対し、他者の携帯電話に鍵情報を転送することによって、鍵情報を一時的に共有させることができる。その鍵情報を共有する必要が無くなった場合に、ユーザは、電子錠管理装置２の照合情報を変更しておくだけで良い。
【図面の簡単な説明】
【００９４】
【図１】携帯情報端末１の構成を示すブロック図である。
【図２】鍵情報登録処理を示すフローチャートである。
【図３】鍵情報選択処理を示すフローチャートである。
【図４】鍵情報消去処理を示すフローチャートである。
【図５】電子錠管理装置２の構成を示すブロック図である。
【図６】照合情報登録処理を示すフローチャートである。
【図７】鍵の照合処理を示すフローチャートである。
【図８】照合情報消去処理を示すフローチャートである。
【図９】画像情報一覧の表示例である。
【図１０】選択された鍵情報の表示例である。
【図１１】鍵情報一覧の表示例である。
【符号の説明】
【００９５】
１…携帯情報端末、２…電子錠管理装置、１１…表示部、１２…制御部、１３…記憶部、１４…入力部、１５…無線通信部、１６…キー入力部、１７…撮像センサ、１８…インタフェース、５１…読み取り部、５２…制御部、５３…記憶部、５４…表示部、５５…入力部、５６…電子錠、１００…画像枠、１１１…リスト表示領域、１１２…入力用表示窓
【図１】
2005076307.tif 000003
【図２】
2005076307.tif 000004
【図３】
2005076307.tif 000005
【図４】
2005076307.tif 000006
【図５】
2005076307.tif 000007
【図６】
2005076307.tif 000008
【図７】
2005076307.tif 000009
【図８】
2005076307.tif 000010
【図９】
2005076307.tif 000011
【図１０】
2005076307.tif 000012
【図１１】
2005076307.tif 000013